(57)【特許請求の範囲】
【請求項１】
複数の発光表示素子が配列された表示面を有する表示ユニットの複数個を上下方向及び左右方向に接合配置して、複数の前記表示面が連続する大形表示面が形成されている映像表示装置であって、
前記表示ユニットの隣接するもの同士を接合した状態で固定連結する固定連結手段と、
隣接する前記表示ユニットの相対前後位置を調整する前後位置調整手段が装備され、
前記前後位置調整手段が、前記固定連結手段に兼用構成され、
前記前後位置調整手段には、隣接する前記両表示ユニットの後面側に亘って配設される連結プレートと、この連結プレートの一端側部位と一方の前記表示ユニットの後面側とを固定する固定具と、前記連結プレートの他端側部位と他方の前記表示ユニットの後面側とを連結し、且つ、連結状態での調整操作によって他方の前記表示ユニットに前後方向の移動力を付与する調整連結具とが備えられ、
上下方向で隣接する前記表示ユニットを固定連結するのに、
前記連結プレートの下側部位が前記固定具で下段側の前記表示ユニットに固定され、前記連結プレートの上側部位が前記調整連結具で上段側の前記表示ユニットに連結され、
前記調整連結具には、前記連結プレートに設けた挿通孔を通して、前記表示ユニットの後面側における取付け部位に設けた雌ネジ部に螺合されるネジ部材と、前記挿通孔に挿通された前記ネジ部材と前記連結プレートとの相対前後位置を設定位置に保持するネジ保持手段とが備えられているとともに、前記連結プレートの挿通孔が上方に開口形成されている映像表示装置。
【請求項２】
前記調整連結具には、回転速度を調整する回転速度調整機構を介して前記ネジ部材を回転操作する調速操作部が備えられている請求項１記載の映像表示装置。
【請求項３】
前記連結プレートには、上下方向及び左右方向で隣接する四つの前記表示ユニットの後面側における角側部位に亘って配設される第１連結プレートと、上下方向又は左右方向で隣接する二つの前記表示ユニットの後面側における側辺側部位に亘って配設される第２連結プレートとが備えられている請求項１又は２記載の映像表示装置。
【請求項４】
複数の発光表示素子が配列された表示面を有する表示ユニットの複数個を上下方向及び左右方向に接合配置して、複数の前記表示面が連続する大形表示面が形成され、
前記表示ユニットの隣接するもの同士を接合した状態で固定連結する固定連結手段と、
隣接する前記表示ユニットの相対前後位置を調整する前後位置調整手段が装備されている映像表示装置の組み立て調整方法であって、
隣接する前記表示ユニットの相対前後位置を前記前後位置調整手段で調整する第１調整工程と、
前記第１調整工程での調整後において、隣接する前記表示ユニットの表示面の接合境界部位での接合状態を拡大レンズで目視確認し、前記接合境界部位で前後方向での位置ずれがあるときには、前記前後位置調整手段で微調整する第２調整工程と、
前記第２調整工程での微調整後において、前記大形表示面を通電によって発光させ、隣接する前記表示ユニットの表示面の接合境界部位において、前後方向での位置ずれによって発生する接合境界線の有無を目視確認し、前記接合境界線が存在する場合には当該接合境界線が目視不能となるまで前記前後位置調整手段で微調整する第３調整工程と、
を実行する映像表示装置の組み立て調整方法。
【発明の詳細な説明】
【技術分野】
【０００１】
本発明は、ＬＥＤ素子等の発光表示素子が配列された表示面を有する表示ユニットの複数個を上下方向及び左右方向に接合配置して、複数の表示面が連続する大形表示面が形成されているＬＥＤビジョン等の映像表示装置、及び、それの組み立て調整方法に関する。
【背景技術】
【０００２】
この種の映像表示装置は、複数個の表示ユニットの表示面を連続させることで所望の大きさの大形表示面を形成するものであり、その組み立て方法として、組み立て前の表示ユニットの複数個を設置現場に搬入し、この設置現場において表示ユニットの複数個を上下方向及び左右方向に接合配置する方法が多く用いられている（例えば、下記特許文献１、２参照）。
【０００３】
ところで、この種の映像表示装置では、隣接する表示ユニットの表示面どうしの接合境界部位に段差があると、両眼視差によって大形表示面で表示された映像中に明調子や暗調子の接合境界線が現れるため、大形表示面で美しい映像を表示するためには隣接する表示ユニットの表示面どうしの接合境界部位の段差を無くすことが重要になる。
【０００４】
特に、近年、映像表示装置の高精細化（すなわち、発光表示素子の配列の高精細化）が大幅に進み、隣接する表示ユニットの表示面どうしの接合境界部位の段差が極僅かであっても接合境界線が大形表示面中に現れる状況となっている。そのため、隣接する表示ユニットの表示面どうしの前後位置の調整に非常に高い精度が求められてきている。
【０００５】
この点、従来では、設置現場において、隣接する表示ユニットの固定連結によって表示ユニットの複数個を上下方向及び左右方向に接合配置し、複数の表示面が連続する大形表示面を一旦形成し、その後、隣接する表示ユニットの接合境界部位に段差が発生している特定の表示ユニットの固定連結を緩め、当該表示ユニットの前後位置を施工者の手掌部での直接的な押し引き操作で調整し、調整後の表示ユニットを再度固定連結するようにしていた。
【先行技術文献】
【特許文献】
【０００６】
【特許文献１】特開２００３−３４８４９３号公報
【特許文献２】特開２０１３−１９０７１６号公報
【発明の概要】
【発明が解決しようとする課題】
【０００７】
しかしながら、個々の表示ユニットの重量が比較的重い上、複数の表示ユニットを組み立てた状態では上段側の表示ユニットの重量が下段側の表示ユニットに載荷されるため、施工者の手掌部での直接的な押し引き操作で表示ユニットの前後位置を微調整するには相当の手間と時間がかかる。
【０００８】
特に、この種の映像表示装置をコンサートホール等の一時的な使用会場に設置する場合、設置工事に使用できる期間が短く（例えば、会場使用日の前日だけ等）、そのため、上述のように組み立て調整に手間と時間がかかることは、映像表示装置の採用の可否に関わる重大な問題となる。
【０００９】
本発明は、上述の実情に鑑みてなされたものであって、その主たる課題は、表面精度の高い大形表示面を短期間で形成することのできる映像表示装置、及び、それの組み立て調整方法を提供する点にある。
【課題を解決するための手段】
【００１０】
本発明の第１特徴構成は、複数の発光表示素子が配列された表示面を有する表示ユニットの複数個を上下方向及び左右方向に接合配置して、複数の前記表示面が連続する大形表示面が形成されている映像表示装置であって、
前記表示ユニットの隣接するもの同士を接合した状態で固定連結する固定連結手段と、
隣接する前記表示ユニットの相対前後位置を調整する前後位置調整手段が装備され、
前記前後位置調整手段が、前記固定連結手段に兼用構成され、
前記前後位置調整手段には、隣接する前記両表示ユニットの後面側に亘って配設される連結プレートと、この連結プレートの一端側部位と一方の前記表示ユニットの後面側とを固定する固定具と、前記連結プレートの他端側部位と他方の前記表示ユニットの後面側とを連結し、且つ、連結状態での調整操作によって他方の前記表示ユニットに前後方向の移動力を付与する調整連結具とが備えられ、
上下方向で隣接する前記表示ユニットを固定連結するのに、
前記連結プレートの下側部位が前記固定具で下段側の前記表示ユニットに固定され、前記連結プレートの上側部位が前記調整連結具で上段側の前記表示ユニットに連結され、
前記調整連結具には、前記連結プレートに設けた挿通孔を通して、前記表示ユニットの後面側における取付け部位に設けた雌ネジ部に螺合されるネジ部材と、前記挿通孔に挿通された前記ネジ部材と前記連結プレートとの相対前後位置を設定位置に保持するネジ保持手段とが備えられているとともに、前記連結プレートの挿通孔が上方に開口形成されている点にある。
【００１１】
つまり、この構成によれば、前記前後位置調整手段で隣接する表示ユニットの相対前後位置を調整するとともに、前記固定連結手段で表示ユニットの隣接するもの同士を接合した状態で固定連結することで、表示面どうしを位置合わせした状態で隣接する表示ユニットを簡単に固定連結することができる。したがって、表面精度の高い大形表示面を短期間で形成することができる。
【００１３】
上記構成によれば、前記前後位置調整手段と前記固定連結手段との部品を共通化したり、操作を共通化することが可能となり、構造の簡素化や組み立て調整作業の簡略化を図ることができる。
【００１５】
上記構成によれば、連結プレートの一端側部位と一方の表示ユニットの後面側とを固定具で固定するとともに、連結プレートの他端側部位と他方の表示ユニットの後面側とを調整連結具で連結することで、隣接する表示ユニットを固定連結することができる。
【００１６】
そして、調整連結具に対する調整操作によって他方の表示ユニットに前後方向の移動力を付与することで、隣接する表示ユニットの表示面どうしの位置合わせを簡単且つ高精度に行うことができる。したがって、固定連結手段を兼ねる前後位置調整手段を合理的に構成することができる。
【００１８】
つまり、上下方向で隣接する表示ユニットのうち、下段側の表示ユニットには上段側の表示ユニットの重量の一部又は全部が積荷されるため、下段側の表示ユニットは上段側の表示ユニットに比べて移動させるのが難しい。
【００１９】
これに対し、上記構成によれば、上下方向で隣接する表示ユニットを固定連結するにあたり、前記調整連結具で前記連結プレートと連結する対象を移動させ易い上段側の表示ユニットとし、この移動させ易い上段側の表示ユニットに調整連結具に対する調整操作で前後方向の移動力を付与することができるので、上下方向で隣接する表示ユニットの表示面どうしの位置合わせを効率的に行うことができる。
【００２１】
上記構成によれば、前記調整連結具は、前記連結プレートに設けた挿通孔を通して、前記表示ユニットの後面側における取付け部位に設けた雌ネジ部に前記ネジ部材を螺合させることで、前記ネジ保持手段でネジ部材の位置が保持された状態で前記表示ユニットと連結プレートとを連結することができる。
【００２２】
そして、前記固定具で一方の表示ユニットに連結プレートを固定し、且つ、上述の如く調整連結具で他方の表示ユニットに連結プレートを連結させた状態で、調整連結具のネジ部材の雌ネジ部に対するネジ込み量（螺合量）を調整操作することで、連結プレートを反力支点として他方側の表示ユニットに前後方向での移動力を付与することができる。
【００２３】
したがって、前記ネジ部材を回転させる簡単な操作で、隣接する表示ユニットの固定連結と両表示ユニットの相対前後位置の調整とを行うことができる。
【００２４】
更に、前記ネジ部材は、連結プレートの挿通孔に対し、それの孔軸心方向に交差する連結プレートの上方側から挿入配置することができるので、ネジ部材と連結プレートとの相対前後位置を保持するネジ保持手段の構造として、例えば、ネジ部材のネジ軸心方向の二箇所に移動規制用のフランジ等を一体形成するシンプルな構造を採用すること等も可能となり、調整連結具の設計自由度を高めることができる。
【００２５】
しかも、上下方向で隣接する表示ユニットは、上段側の表示ユニットの自重によって接近側に重力付勢されているので、挿通孔に挿入配置されて上段側の表示ユニットに連結された調整連結具が挿通孔の上部開口から抜け出して上下方向で隣接する表示ユニットが分離する虞も実用上存在せず、両表示ユニットの固定連結に支障はない。
【００２６】
本発明の第２特徴構成は、前記調整連結具には、回転速度を調整する回転速度調整機構を介して前記ネジ部材を回転操作する調速操作部が備えられている点にある。
【００２７】
つまり、この構成によれば、前記調整連結具の前記調速操作部に対する操作によって回転速度調整機構で調整された回転速度で前記ネジ部材を回転操作することができる。
【００２８】
それ故に、この調速操作部に対する操作によって調整連結具のネジ部材の雌ネジ部に対するネジ込み量（螺合量）を調整して表示ユニットに前後方向での移動力を付与するにあたり、例えば、回転速度調整機構でネジ部材の回転速度を減じてトルクを高めることで、積載重量が大きくて移動させ難い表示ユニットの前後移動を容易に行うことができるとともに、表示ユニットの前後位置の微調整を一層精密に行うことができる。
【００２９】
また、この調速操作部による操作で回転速度調整機構を介してネジ部材を回転操作する操作方法と、回転速度調整機構を介さずに直接的にネジ部材を回転操作する操作方法とを使い分けることで、表示ユニットの前後位置の調整を更に効率的に行うこともできる。
【００３０】
更に、例えば、調速操作部で調整するネジ部材の回転速度を適宜に変更可能とすることで、表示ユニットの移動抵抗や移動量、前後位置の調整精度等に応じた回転速度でネジ部材を回転させる形態で表示ユニットの前後位置の調整を効率的に行うこともできる。
【００３１】
本発明の第３特徴構成は、前記連結プレートには、上下方向及び左右方向で隣接する四つの前記表示ユニットの後面側における角側部位に亘って配設される第１連結プレートと、上下方向又は左右方向で隣接する二つの前記表示ユニットの後面側における側辺側部位に亘って配設される第２連結プレートとが備えられている点にある。
【００３２】
上記構成によれば、例えば、矩形状の多数の表示ユニットで矩形状の大形表示面を形成する場合、大形表示面の中央側部位で隣接する四つの表示ユニットは前記第１連結プレートで固定連結し、大形表示面の側辺側部位で隣接する二つの表示ユニットは前記第２連結プレートで固定連結することができる。つまり、大形表示面の中央側部位と側辺側部位とで夫々に適した連結プレートを使用して大形表示面を効率的に形成することができる。
【００３３】
本発明の第４特徴構成は、複数の発光表示素子が配列された表示面を有する表示ユニットの複数個を上下方向及び左右方向に接合配置して、複数の前記表示面が連続する大形表示面が形成され、
前記表示ユニットの隣接するもの同士を接合した状態で固定連結する固定連結手段と、
隣接する前記表示ユニットの相対前後位置を調整する前後位置調整手段が装備されている映像表示装置の組み立て調整方法であって、
隣接する前記表示ユニットの相対前後位置を前記前後位置調整手段で調整する第１調整工程と、
前記第１調整工程での調整後において、隣接する前記表示ユニットの表示面の接合境界部位での接合状態を拡大レンズで目視確認し、前記接合境界部位で前後方向での位置ずれがあるときには、前記前後位置調整手段で微調整する第２調整工程と、
前記第２調整工程での微調整後において、前記大形表示面を通電によって発光させ、隣接する前記表示ユニットの表示面の接合境界部位において、前後方向での位置ずれによって発生する接合境界線の有無を目視確認し、前記接合境界線が存在する場合には当該接合境界線が目視不能となるまで前記前後位置調整手段で微調整する第３調整工程と、
を実行する点にある。
【００３４】
つまり、上記構成によれば、第１調整工程において、隣接する表示ユニットの相対前後位置を前後位置調整手段で調整（１次調整）した後、第２調整工程において、拡大レンズによって判別可能な高い精度で隣接する表示ユニットの相対前後位置を前後位置調整手段で微調整（２次調整）する。更に、その後、第３調整工程において、前記大形表示面を通電によって発光させた状態での両眼視差によって判別可能な一層高い精度で隣接する表示ユニットの相対前後位置を前後位置調整手段で微調整（３次調整）する。
【００３５】
すなわち、この構成によれば、少なくとも３段階の確認・調整工程を精度が高くなる順に実行することで、表面精度の高い大形表示面を手戻りなく短期間で形成することができる。
【図面の簡単な説明】
【００３６】
【図１】映像表示装置の前面側斜視図
【図２】映像表示装置の後面側の要部の斜視図
【図３】前後位置調整手段（固定連結手段）の分解図
【図４】映像表示装置の後面側の要部の分解図
【図５】上下方向で隣接する表示ユニットの前後位置調整方法を示す一部破断側面図
【図６】左右方向で隣接する表示ユニットの前後位置調整方法を示す一部破断平面図
【図７】映像表示装置の組み立て調整方法を示す説明図
【図８】別実施形態の前後位置調整手段（固定連結手段）の分解図
【図９】最下段の表示ユニットの固定連結部位を示す一部破断側面図
【図１０】最下段の表示ユニットの固定連結部位を示す一部破断平面図
【図１１】（ａ）別実施形態の調整連結具を示す側面図、（ｂ）ＸＩｂ−ＸＩｂ線断面図
【発明を実施するための形態】
【００３７】
図１は、コンサート会場や展示ブース、展示室等の各種の被設置箇所に設置して用いられる映像表示装置１を示し、この映像表示装置１は、前面（正面）の全域に亘って表示面２Ａを有する複数の表示ユニット２と、これらの表示ユニット２を支持する支持体３とから構成され、複数の表示ユニット２を所定の相対姿勢で上下方向及び左右方向に接合配置することで、各表示ユニット２の表示面２Ａが連続する大形表示面１Ａが前面に形成されている。
【００３８】
前記支持体３は、各表示ユニット２を後面側（背面側）及び下方側から支持するように構成され、例えば、縦方向や横方向に延びる多数のフレーム等をベースの上方に組み付けて構成されている。なお、当該支持体３としては、コンクリート製等の壁体等の各種の構造を採用することができる。
【００３９】
前記表示ユニット２は、横長矩形薄箱状のユニット本体２Ｂ（図２参照）の前面に前記表示面２Ａを配設して構成されている。このユニット本体２Ｂの表示面２Ａには、ＬＥＤ素子等の発光表示素子（図示省略）の多数個が上下方向及び左右方向に密に配列されている。
【００４０】
そして、当該ユニット本体２Ｂには、多数の発光表示素子を駆動制御する駆動制御装置（図示省略）が内蔵され、ケーブル（図示省略）を介して別の表示ユニット２の駆動制御装置と連携して映像表示装置１の大形表示面１Ａに単一の大形映像を映し出せるように構成されている。
【００４１】
図２は、映像表示装置１の後面側の要部の斜視図であり、同図に示すように、ユニット本体２Ｂの後面側の四隅には、隣接する表示ユニット２どうしの固定連結や表示ユニット２どうしの相対前後位置の調整、当該表示ユニット２の支持体３への取り付け等に用いられる角柱状の取り付け台２Ｄ（取り付け部位の一例）が突設されている。なお、図２において支持体３は省略している。
【００４２】
そして、この映像表示装置１には、表示ユニット２の隣接するもの同士を接合した状態で固定連結する固定連結手段Ａと、隣接する表示ユニット２の相対前後位置を調整する前後位置調整手段Ｂとが装備されている。
【００４３】
当該固定連結手段Ａと前後位置調整手段Ｂとは、部品及び操作を共通にするものとして兼用構成され、具体的には、図３、図４に示すように、隣接する表示ユニット２の後面側に亘って配設される金属製等の連結プレート４と、この連結プレート４の下端側部位（一端側部位の一例）４ｂと一方の表示ユニット２の後面側とを固定する固定具５と、連結プレート４の上端側部位（他端側部位の一例）４ａと他方の表示ユニット２の後面側とを連結し、且つ、連結状態での調整操作によって他方の表示ユニット２に前後方向の移動力を付与する調整連結具６とから構成されている。
【００４４】
なお、前記連結プレート４は、例えば、ボルト・ナット等の取り付け手段で支持体３に接続可能に構成されていたり、支持体３を構成するフレーム等に一体形成することで支持体接続手段に兼用構成されていてもよい。
【００４５】
前記連結プレート４には、図３（ａ）及び図４（ａ）に示すように、上下方向及び左右方向で隣接する四つの表示ユニット２の後面側における角側部位に亘って配設される第１連結プレート４Ａと、図３（ｂ）及び図４（ｂ）に示すように、上下方向又は左右方向で隣接する二つのユニット本体２Ｂの後面側における側辺側部位に亘って配設される第２連結プレート４Ｂとが備えられている。
【００４６】
第１連結プレート４Ａは、上下方向及び左右方向で隣接する四つの表示ユニット２の後面側における角側部位に集合配置される四つの取り付け台２Ｄの端面形状に対応して、前後面視で略正方形状に構成されている。
【００４７】
第１連結プレート４Ａの上端側部位４ａの前面（表示ユニット２側に位置する面）には、後述するネジ保持手段Ｄの収容部と調整連結具６による調整代として用いられる空間を構成するための凹部４ｄが窪み形成されている。当該凹部４ｄは、第１連結プレート４Ａの上端側部位４ａの厚み寸法を下端側部位４ｂの厚み寸法よりも設定寸法分だけ小にすることで構成されている。
【００４８】
この第１連結プレート４Ａの上端側部位４ａの左右の二箇所には、隣接する二つの表示ユニット２に連結させる二つの調整連結具６の各々を挿入配置可能な調整連結具用挿通孔４ｅが形成されている。当該調整連結具用挿通孔４ｅは、調整連結具６を上方側から挿入配置可能なように、第１連結プレート４Ａの上側辺部（側辺部の一例）において上方に開口する半長円形状に構成されている。
【００４９】
他方、第１連結プレート４Ａの下端側部位４ｂの左右の二箇所には、隣接する二つの表示ユニット２に連結させる二つの固定具５の各々を挿入配置可能な円形状の固定具用挿通孔４ｆが形成されている。
【００５０】
第２連結プレート４Ｂは、上下方向又は左右方向で隣接する二つの表示ユニット２の後面側における側辺側部位に集合配置される二つの取り付け台２Ｄの端面形状に対応して前後面視で略長方形状に構成されているとともに、調整連結具用挿通孔４ｅと固定具用挿通孔４ｆとが左右中央位置に各一つ形成されている。なお、第２連結プレート４Ｂのその他の構成は、上述した第１連結プレート４Ａと同一であるので、同一の構成箇所には同一の番号を付して説明は省略する。
【００５１】
前記固定具５は、図３、図４に示すように、連結プレート４の固定具用挿通孔４ｆを通して、表示ユニット２の取り付け台２Ｄの端面に形成されたネジ孔（雌ネジ部）２ａに螺合可能なネジ軸部５Ａ（雄ネジ部）を備えたネジ部材として構成されている。
【００５２】
この固定具５におけるネジ軸部５Ａの後端側には、ネジ軸部５Ａを固定具用挿通孔４ｆに挿通させた状態で固定具用挿通孔４ｆの開口周縁部に当て付け可能なネジ頭部５Ｂが一体形成されている。当該ネジ頭部５Ｂには、六角レンチ等の操作具で回転操作するための操作部が形成されている。
【００５３】
そして、図３〜図５に示すように、連結プレート４の固定具用挿通孔４ｆを通して固定具５のネジ軸部５Ａを表示ユニット２における取り付け台２Ｄのネジ孔２ａにねじ込むことで、連結プレート４の下端側部位４ｂの前面が一方側（図中下側）の表示ユニット２の取り付け台２Ｄの端面に当接する状態で、連結プレート４の下端側部位４ｂが一方側（図中の下段側）の表示ユニット２に締め付け固定されている。
【００５４】
前記調整連結具６は、図３、図４に示すように、連結プレート４の調整連結具用挿通孔４ｅを通して表示ユニット２の取り付け台２Ｄの端面に形成されたネジ孔（雌ネジ部）２ａに螺合可能なネジ軸部６Ａ（雄ネジ部）を備えたネジ部材として構成されている。
【００５５】
この調整連結具６におけるネジ軸部６Ａの後端側には、ネジ軸部６Ａを調整連結具用挿通孔４ｅに挿通させた状態で調整連結具用挿通孔４ｅの開口周縁部に当て付けられるネジ頭部６Ｂが一体形成されているとともに、ネジ軸部６Ａの前後中間部位には、径方向外方に突出する環状のフランジ部６Ｄが溶接や接着剤等で一体形成されている。なお、前記ネジ頭部６Ｂは、把持操作のし易い大型の円柱状のグリップ部として構成されているとともに、その外周面は滑り難い粗面に形成されている。
【００５６】
前記ネジ頭部６Ｂとフランジ部６Ｄとの対向面間の離れ寸法は、連結プレート４の上端側部位４ａの厚みよりも若干大に設定され、ネジ軸部６Ａにおけるネジ頭部６Ｂとフランジ部６Ｄとの間の部位を調整連結具用挿通孔４ｅに挿入配置した状態で、ネジ頭部５Ｂとフランジ部６Ｄとが連結プレート４の前面側と後面側とに分かれて位置することで、連結プレート４に対する調整連結具６の前後方向での移動をネジ頭部５Ｂとフランジ部６Ｄとで所定範囲に接当規制するように構成されている。
【００５７】
つまり、調整連結具６のネジ頭部６Ｂとフランジ部６Ｄは、連結プレート４と調整連結具６との相対前後位置を保持するネジ保持手段Ｄを構成する。
【００５８】
そして、図３〜図５に示すように、連結プレート４の上方側から調整連結具６を調整連結具用挿通孔４ｅに挿入配置してネジ保持手段Ｄによって位置保持させた状態で、調整連結具６のネジ軸部６Ａを表示ユニット２における取り付け台２Ｄのネジ孔２ａにねじ込むことで、連結プレート４の上端側部位４ａの前面と他方側（図中の上段側）の表示ユニット２の取り付け台２Ｄの端面との間に凹部４ｄの深さに対応する空間を形成する状態で、連結プレート４の上端側部位４ａが他方側の表示ユニット２に連結されている。
【００５９】
この連結状態において、調整連結具６のネジ軸部６Ａのネジ孔２ａに対するねじ込み量を変更操作することによって、連結プレート４の上端側部位４ａを支点として、他方側の表示ユニット２（具体的には、表示ユニット２の側片部の一例である隅部）に前後方向での移動力を付与し、隣接する表示ユニット２の相対前後位置を調整することができ、以下、第１連結プレート４Ａの配設箇所を例に挙げて隣接する表示ユニット２の位置調整方法について説明する。
【００６０】
＜上下方向で隣接する表示ユニットの位置調整＞
図５は、第１連結プレート４Ａの配設箇所の側面図であり、下段側の表示ユニット２に対して第１連結プレート４Ａの下端側部位４ｂを固定具５で固定し、上段側の表示ユニット２に対して第１連結プレート４Ａの上端側部位４ａを調整連結具６で連結した状態を示している。
【００６１】
この状態において、上段側の表示ユニット２の表示面２Ａが下段側の表示ユニット２の表示面２Ａよりも前方側に位置している場合には、図５（ａ）に示すように、ネジ保持手段Ｄで調整連結具６が第１連結プレート４Ａに位置保持された状態で、調整連結具６のネジ頭部６Ｂをネジ込み側（例えば、右回り）に回転操作することで、上段側の表示ユニット２側のネジ孔２ａに調整連結具６のネジ軸部６Ａへのネジ込み量を増大させる形態で上段側の表示ユニット２を後方側に引張移動させて、上段側の表示ユニット２の表示面２Ａと下段側の表示面２Ａとの前後位置が揃う状態（図中の二点鎖線表示を参照）に調整することができる。
【００６２】
逆に、上段側の表示ユニット２の表示面２Ａが下段側の表示ユニット２よりも後方側に位置している場合には、図５（ｂ）に示すように、調整連結具６のネジ頭部６Ｂを緩み側（例えば、左回り）に回転操作することで、上段側の表示ユニット２側のネジ孔２ａに調整連結具６のネジ軸部６Ａへのネジ込み量を減少させる形態で上段側の表示ユニット２を前方側に押圧移動させて、上段側の表示ユニット２の表示面２Ａと下段側の表示面２Ａとの前後位置が揃う状態（図中の二点鎖線表示を参照）に調整することができる。
【００６３】
＜左右方向で隣接する表示ユニットの位置調整＞
図６は、第１連結プレート４Ａの配設箇所の平面図であり、上段側で左右に隣接する表示ユニット２の各々を調整連結具６で連結した状態を示している。
【００６４】
この状態において、左側（左右の一方側）の表示ユニット２の表示面２Ａが右側（左右の他方側）の表示ユニット２の表示面２Ａよりも前方側に位置している場合には、例えば、図６（ａ）に示すように、ネジ保持手段Ｄで調整連結具６が第１連結プレート４Ａに位置保持された状態で、調整連結具６のネジ頭部６Ｂを螺進側に回転操作することで、左側の表示ユニット２側のネジ孔２ａに対する調整連結具６のネジ軸部６Ａへのネジ込み量を増大させる形態で左側の表示ユニット２を後方側に引張移動させて、左側の表示ユニット２の表示面２Ａと右側の表示面２Ａとの前後位置が揃う状態（図中の二点鎖線表示を参照）に調整することができる。
【００６５】
逆に、左側の表示ユニット２の表示面２Ａが右側の表示ユニット２よりも後方側に位置している場合には、図６（ｂ）に示すように、調整連結具６のネジ頭部６Ｂを螺進側とは反対側に回転操作することで、左側の表示ユニット２側のネジ孔２ａに調整連結具６のネジ軸部６Ａへのネジ込み量を減少させる形態で左側の表示ユニット２を前方側に押圧移動させて、左側の表示ユニット２の表示面２Ａと右側の表示面２Ａとの前後位置が揃う状態（図中の二点鎖線表示を参照）に調整することができる。
【００６６】
なお、左右方向で隣接する表示ユニット２の位置調整は、上述の如く左側の表示ユニット２を移動させるのに限らず、右側の表示ユニット２を移動させたり、左右両側の表示ユニット２を移動させたりしてもよい。
【００６７】
図２中の２Ｅは、前記ユニット本体２Ｂの後面側の左右の側辺側部位に突設された引き寄せ具取り付け片であり、左右方向で隣接する表示ユニット２の引き寄せ具取り付け片４Ｅをレバー式等の引き寄せ固定具８で引き寄せることで、例えば、左右方向で隣接する表示ユニット２を位置調整後等の最終段階で一層強固に固定する場合等に用いられる。
【００６８】
次に、このように構成された映像表示装置１の組み付け調整方法について説明する。この組み付け調整方法には、第１〜第３の段階的な調整工程が備えられている。
【００６９】
＜第１調整工程＞
まず、隣接する表示ユニット２の相対前後位置を前後位置調整手段Ｂで調整しながら、下段側から上段側に向かって隣接する表示ユニット２を固定連結手段Ａで順次に固定連結するとともに、各表示ユニット２を支持体３に適宜の取り付け手段で接続する。つまり、この第１調整工程では、隣接する表示ユニット２の相対前後位置を粗調整しながら、映像表示装置１を組み付ける。
【００７０】
＜第２調整工程＞
第１調整工程での調整後、施工者Ｍは、図７（ａ）に示すように、映像表示装置１の大形表示面１Ａの各部位について、隣接する表示ユニット２の表示面２Ａどうしの接合境界部位での接合状態を拡大レンズ７で目視確認する。
【００７１】
そして、隣接する表示ユニット２の表示面２Ａどうしの接合境界部位で前後方向での位置ずれが確認された場合には、施工者Ｍは、当該位置ずれ部位に対応する両表示ユニット２の相対前後位置を前後位置調整手段Ｂで微調整する。
【００７２】
＜第３調整工程＞
第２調整工程での微調整後、施工者Ｍは、図７（ｂ）に示すように、大形表示面１Ａを通電によって発光させ、隣接する前記表示ユニット２の表示面２Ａの接合境界部位において、前後方向での位置ずれによって発生する接合境界線Ｓの有無を確認する。この接合境界線Ｓの確認は、両眼視差が明確に現れる設定距離（例えば、１ｍ程度）だけ大形表示面１Ａから離れた箇所から目視で確認する。このように大形表示面１Ａを発光させた状態で確認することで、拡大レンズでは判別が困難な極々微小な位置ずれを発見することができる。
【００７３】
そして、施工者Ｍは、接合境界線Ｓが存在する場合には、大形表示面１Ａを発光させた状態を維持しながら、当該接合境界線Ｓが消えるまで（つまり、接合境界線Ｓが見えなくなるまで）、当該位置ずれ部位に対応する両表示ユニット２の相対前後位置を前後位置調整手段Ｂで微調整し、映像表示装置１の組み立て調整を完了する。
【００７４】
以上、要するに、この映像表示装置１の組み付け調整方法では、精度の異なる上述した第１〜第３の調整工程を精度の高いもの順に実行することで、表面精度の高い大形表示面１Ａを手戻りなく短期間で形成することができる。
【００７５】
〔別実施形態〕
（１）前述の実施形態では、一方側の表示ユニット２と連結プレート４の一方側部位とを固定具５で固定し、且つ、他方側の表示ユニット２と連結プレート４の他方側部位とを調整連結具６で前後位置調整自在に連結する場合を例に示したが、一方側の表示ユニットと連結プレートの一方側部位、及び、他方側の表示ユニット２と連結プレート４の他方側部位の両方を、調整連結具６で前後位置調整自在に連結してもよい。
【００７６】
この場合、例えば、図８に示すように、連結プレート４の一例である第２連結プレート４Ｂが、前後面視で長方形状に構成されているとともに、第２連結プレート４Ｂの全体が同厚で前記凹部４ｄの存在しない形状に構成され、更に、第２連結プレート４Ｂの長手方向の一端側部位と他端側部位の各々に調整連結具用挿通孔４ｅが形成されている。
【００７７】
また、当該第２連結プレート４Ｂは、支持体３に接合された金属製のアーム部材３ａ（フレームの一例）の先端に一体的に形成されている。つまり、この第２連結プレート４Ｂは支持体接続手段にも兼用構成されている。
【００７８】
そして、図９、図１０に示すように、第２連結プレート４Ｂが、例えば、最下段において左右方向で隣接する表示ユニット２の後面側の取り付け台２Ｄの端面との間にネジ保持手段Ｄの収容部と調整連結具６による調整代として用いられる空間を形成するように、取り付け台２Ｄの端面から後退した位置に配置されている。
【００７９】
この第２連結プレート４Ｂの配置状態において、第２連結プレート４Ｂの両調整連結具用挿通孔４ｅに挿入配置された両調整連結具６のネジ軸部６Ａを両表示ユニット２の取り付け台２Ｄの雌ネジ部２ａに夫々ネジ込むことで、両表示ユニット２が第２連結プレート４Ｂ（具体的には、第２連結プレート４Ｂが接続された支持体３）を支点として前後位置調整自在な状態で連結されている。
なお、この連結構造は、上述した最下段の表示ユニット２に限らず、上下中段や最上段の表示ユニット２の連結に適宜に適用することができる。
【００８０】
そして、この実施形態では、第２連結プレート４Ｂに備えさせた一方の調整連結具６と他方の調整連結具６とを別個に調整操作することで、左右方向で隣接する表示ユニット２の相対前後位置を調整したり、両表示ユニット２を前後方向に移動させる形態で映像表示装置１の前後位置を調整することができる。
その他の構成は、前述の実施形態で説明した構造と同一であるので、同一の構成箇所には同一の番号を付記して、その説明は省略する。
【００８１】
（２）前述の実施形態では、第１連結プレート４Ａと第２連結プレート４Ｂの二種類の連結プレート４を用意し、上下方向及び左右方向で隣接する四つの表示ユニット２の後面側における角側部位は一つの第１連結プレート４Ａで固定連結し、上下方向又は左右方向で隣接する二つの表示ユニット２の後面側における側片側部位は一つの第２連結プレート４Ｂで固定連結する場合を例に示したが、例えば、連結プレート４を第２連結プレート４Ｂに統一し、上下方向及び左右方向で隣接する四つの表示ユニット２の後面側における角側部位を縦姿勢又は横姿勢で並べた二つの第２連結プレート４Ｂで固定連結するようにしてもよい。
【００８２】
（３）前述の実施形態では、固定連結手段Ａと前後位置調整手段Ｂが兼用構成されている場合を例に示したが、別々の部材から独立構成されていてもよい。
【００８３】
（４）前述の実施形態では、前後位置調整手段Ｂが、調整操作によって表示ユニット２に対して前後両方向への移動力を付与可能に構成されている場合を例に示したが、例えば、調整操作によって調整連結具６を前方向に移動させることで表示ユニット２側の取り付け部位の被押圧面を調整連結具６側の押圧面で押圧するように構成するなど、調整操作によって表示ユニット２に対して前方向又は後方向の一方向のみへの移動力を付与可能に構成されていてもよい。
【００８４】
（５）固定連結手段Ａと前後位置調整手段Ｂを兼用構成する連結プレート４や固定具５、調整連結具６の具体的構成、及び、調整連結具用挿通孔４ｅや固定具用挿通孔４ｆの具体的構成は、種々の構成変更が可能である。
【００８５】
例えば、調整連結具６には、回転速度を調整する回転速度調整機構を介して前記ネジ部材を回転操作する調速操作部が備えられていてもよい。
【００８６】
この場合、例えば、図１１（ａ）に示すように、調整連結具６のネジ頭部６Ｂの内部に回転速度を減じる減速機構１１（上述の回転速度調整機構の一例）を内蔵するとともに、この減速機構１１を介してネジ頭部６Ｂ及びこれに一体的に接合されたネジ軸部６Ａを回転操作する摘み部１０（上述の調速操作部の一例）をネジ頭部６Ｂの後端側等に配設して構成することができる。
【００８７】
前記減速機構１１としては、各種のものを用いることができるが、例えば、遊星歯車式の機構を使用する場合、図１１（ｂ）に示すように、摘み部１０に連なる入力軸１０ａに設けた太陽歯車１１ａと、ネジ頭部６Ｂの内面に形成した内歯車１１ｃと、これらの太陽歯車１１ａと内歯車１１ｃの各々と噛み合う状態で太陽歯車１１ａと内歯車１１ｃの間に配された複数の遊星歯車１１ｂとから構成することができる。
【００８８】
すなわち、この調整連結具６は、高いトルクが得られる摘み部１０に対する回転操作で積載重量が大きくて移動させ難い表示ユニットも容易に行うことができる。また、速い回転速度が得られるネジ頭部６Ｂに対する回転操作で表示ユニット２の前後位置の粗調整を行い、遅い回転速度が得られる摘み部１０で表示ユニット２の前後位置の微調整を行うことで、表示ユニット２の前後位置を精密且つ迅速に行うことができる。
【００８９】
なお、回転速度調整機構としては、減速機構１１に限らず、変速機構や増速機構等の回転速度を調整可能な種々のものを用いることができる。また、回転速度調整機構として変速機構を用いる場合には、ネジ頭部６Ｂと摘み部１０との二つの操作部を、一つの調速操作部として共通化してもよい。
その他の構成は、前述の実施形態で説明した構造と同一であるので、同一の構成箇所には同一の番号を付記して、その説明は省略する。
【００９０】
（６）表示ユニット２の表示面２Ａは、前述の実施形態で説明したＬＥＤ素子に限らず、有機ＥＬや無機ＥＬ等の各種の発光表示素子で構成することができる。
【符号の説明】
【００９１】
１        映像表示装置
１Ａ      大形表示面
２        表示ユニット
２Ａ      表示面
２Ｄ      取り付け台（取り付け部）
２ａ      ネジ孔（雌ネジ部）
４        連結プレート
４Ａ      第１連結プレート
４Ｂ      第２連結プレート
４ａ      上端側部位（一端側部位）
４ｂ      下端側部位（他端側部位）
４ｅ      調整連結具用挿通孔
４ｆ      固定具用挿通孔
５        固定具
６        調整連結具
７        拡大レンズ
１０      摘み部（調速操作部）
１１      減速機構（回転速度調整機構）
Ａ        固定連結手段
Ｂ        位置調整手段
Ｄ        ネジ保持手段
Ｓ        接合境界線
【図１】
0006378104.tif 000002
【図２】
0006378104.tif 000003
【図３】
0006378104.tif 000004
【図４】
0006378104.tif 000005
【図５】
0006378104.tif 000006
【図６】
0006378104.tif 000007
【図７】
0006378104.tif 000008
【図８】
0006378104.tif 000009
【図９】
0006378104.tif 000010
【図１０】
0006378104.tif 000011
【図１１】
0006378104.tif 000012